(57)【要約】      （修正有）【課題】選択したフラットピースを連結する前に、ユーザが使用する多様なフラットピースを自由に置き換えて、外装の模様を容易にシュミレーションすることができる袋物外装面用のデザインシートを提供する。【解決手段】多様なフラットピースから選択し、連結して、外装面の模様をユーザが自らデザインする、バッグ、ポーチ等の袋物のデザインシート１であって、前記袋物の外装面を展開した状態で、前記フラットピースの輪郭２を実物大の大きさで投影表示する。【選択図】図１
0003218494.tif 000002
【実用新案登録請求の範囲】
【請求項１】
多様なフラットピースから選択し、該フラットピース同士を連結して、外装面の模様をユーザが自らデザインする、バッグ、ポーチ等の袋物のデザインシートであって、前記袋物の外装面を展開した状態で、前記外装面を構成する前記フラットピースの輪郭を実物大の大きさで投影表示したことを特徴とする袋物外装面用のデザインシート。
【請求項２】
請求項１記載の袋物外装面用のデザインシートであって、前記フラットピースは複数種類の留具から選ばれる特定の前記留具を用いて隣接する前記フラットピースと連結されるものであって、前記フラットピースの輪郭間に、特定の前記留具が表示されることを特徴とする袋物外装面用のデザインシート。
【請求項３】
請求項２記載の袋物外装面用のデザインシートであって、前記フラットピースは所定位置に孔が開口し、前記留具の足を前記孔に嵌めこむことにより隣接する前記フラットピースと連結するものであって、前記デザインシートは弾性を有し、貫通した前記留具の足の先端を弾性的に享受することを特徴とする袋物外装面用のデザインシート。
【請求項４】
請求項１乃至３のいずれか記載の袋物外装面用のデザインシートであって、前記フラットピースを並べた前記デザインシートの撮影後、画像処理の位置決め用マークが印刷されていることを特徴とする袋物外装面用のデザインシート。
【考案の詳細な説明】
【技術分野】
【０００１】
本考案は、バッグやポーチなどの袋物の外装を、フラットピースを組み上げて構成するに際して使用する、外装面用のデザインシートに関する。
【背景技術】
【０００２】
ユーザが内袋の外側に、平たい小切片状のフラットピースを留め具で組み合せて、バッグやポーチなどの袋物の外装を組み上げていくキットが開発され、販売されている（出願人が製造販売する「パチェリエ」(登録商標)）。色や表面のテクスチャーが異なる多様なフラットピースから特定のフラットピースをユーザが選択し、組み上げることで、ユーザはオリジナリティを持たせたバックやポーチといった袋物を完成させることができる。
【考案の概要】
【考案が解決しようとする課題】
【０００３】
一方、内袋に対応する外装は、寸法が決まっているため、使用するフラットピース枚数や輪郭の情報をユーザに示す必要がある。その型紙を縮尺してパンフレットに示すこともできるが、フラットピースの配置が外装のデザインとなるため、多様なフラットピースの選択や配置を試行錯誤して試すに際し、かかる情報だけではガイドとして不十分である。
【０００４】
そこで、本考案の目的は、選択したフラットピースを連結する前に、ユーザが使用する多様なフラットピースを自由に置き換えて、外装の模様を容易にシュミレーションすることができるデザインシートを提供することにある。
【課題を解決するための手段】
【０００５】
本考案のデザインシートは、多様なフラットピースから選択し、該フラットピース同士を連結して、外装面の模様をユーザが自らデザインする、バッグ、ポーチ等の袋物のデザインシートであって、前記袋物の外装面を展開した状態で、前記外装面を構成する前記フラットピースの輪郭を実物大の大きさで投影表示した者であることを特徴とする。
【０００６】
また、本考案のデザインシートは、前記フラットピースは複数種類の留具から選ばれる特定の前記留具を用いて隣接する前記フラットピースと連結されるものであって、前記デザインシートには前記フラットピースの輪郭間に、特定の前記留具が表示されることを特徴とする。かかる構成によれば、ユーザはフラットピースの種類とともに、留具の種類も含めてデザインに反映させることができる。
【０００７】
また、本考案のデザインシートは、前記フラットピースは所定位置に孔が開口し、前記留具の足を前記孔に嵌めこむことにより隣接する前記フラットピースと連結するものであって、前記デザインシートは弾性を有し、貫通した前記留具の足の先端を弾性的に享受することを特徴とする。かかる構成によれば、フラットピースの配置を決定した後、そのままの状態で、留具を上から押し込んでフラットピースを連結することができる。
【０００８】
さらに、本考案のデザインシートは、前記フラットピースを並べた前記デザインシートの撮影後、画像処理の位置決め用のマークが印刷されていることを特徴とする。かかる構成によれば、フラットピース配置を終えた展開写真を撮影した後、位置決め用マークによりデザイン情報について画像処理し、袋物を組み上げた状態のバーチャル表示に用いることができる。
【考案の効果】
【０００９】
本考案のデザインシートによれば、ユーザが多様な種類及び色彩のフラットピースを配置して袋物の外装面をデザインするに際し、デザインシート上に表示された、実物大のフラットピースの輪郭に配置することで、外装面に現れる模様を、フラットピースを連結する前に、予め簡単にシュミレーションすることができる。
【００１０】
また、デザインシート上の表示に従ってフラットピースを配置することで形状の誤りを防止することができ、また、実物のフラットピースを仮置きしていくことで、各種フラットピース毎の過不足も容易に掌握できる。
【図面の簡単な説明】
【００１１】
【図１】本考案の第一実施形態のデザインシートの平面図。
【図２】本考案の同実施形態のデザインシート上で使用するフラットピースと留具の説明図。
【図３】（ａ）(ｂ)フラットピースを配置した状態の同実施形態のデザインシートの平面図。
【図４】連結したフラットピースにより外装面を構成したバッグの平面図。
【図５】本考案の他実施形態のデザインシートの平面図。
【図６】本考案の他実施形態のデザインシートの平面図。
【図７】（ａ）(ｂ)本考案の他実施形態のデザインシートの使用方法の説明図。
【考案を実施するための形態】
【００１２】
本考案の第一実施形態を図１及び図２を用いて説明する。図１は、本考案のデザインシートの平面図であり、図２はデザインシート上に配置するフラットピース及びこれらフラットピースを連結する留具の説明図である。
【００１３】
図１に示すように、デザインシート１は、紙製のシートであって、その表面には、後述するフラットピース11乃至15のフラットピース輪郭２及び留具21乃至25の留具輪郭３が実物大で印刷されている。このフラットピース輪郭２はユーザが選択したバック、ポーチ等の袋物の外装面の展開図を表す。
【００１４】
また、フラットピース輪郭２は、複数種類あるフラットピース11乃至15から使用すべきフラットピース11乃至15を明瞭にするように輪郭のみを、配置角度を特定した状態で描かれている。さらに、留具輪郭３も、複数種類ある留具21乃至25から使用すべき留具を明瞭にするように輪郭や配置角度が輪郭のみ線図で描かれている。
【００１５】
フラットピース輪郭２及び留具輪郭３以外の領域は薄墨で塗られており、フラットピース11乃至15及び留具21乃至25を白抜きで目立たせて、それぞれのフラットピース11乃至15を配置する位置を明瞭にしている。また、余白には、フラットピース11乃至15の連結順を指示する説明文４などが表示されている。
【００１６】
図２は、デザインシート１上に配置する、バッグの外装面を組み上げるための、多種類のフラットピース11乃至15及びこれらフラットピースを連結する多種類の留具21乃至25を示す。
【００１７】
フラットピース11乃至15は、ビニル製で可塑性及び弾性を有し、2mm程度の厚みを有する。それぞれのフラットピース11乃至15は、使用するビニルの色によって色が異なり、例えば、スクエア型フラットピース11Ａ乃至11Ｄはそれぞれ、白、ピンク、水色、赤である。また、ホームベース型フラットピース12、三角型フラットピース13、ダブルスクエア型フラットピース14についても、形状のみを図示するが、それぞれ多種類の色のピースが準備される。なお、ロゴ入りスクエア型フラットピース15は、金や銀といったメタリック色として、ワンポイント的に使用する。
【００１８】
スクエア型フラットピース11、15は、一辺が30mm前後で、四隅にアールが付いた正方形型本体11ａを有し、これら四隅の所定位置に留具用孔11ｂを穿孔している。また、ホームベース型フラットピース12は上辺が40mm前後のホームベース型本体11ｂを有し、同様にアールが付いた五隅に留具用孔12ｂを穿孔している。また、ダブルスクエア型フラットピース13は、スクエア型フラットピース11を２つ連続させた形状長方形型本体13ａを有し、それぞれの正方形の四隅に留具用孔13ｂを穿孔している。
【００１９】
次に、留具21乃至25は、射出成型されたプラスチック製ピースであって、例えば一部、装飾用留具23には装飾用の銀メッキが施されている。
【００２０】
クロス型留具21は、十字型の本体21と、四方に伸びる足21bを有している。Ｕ字型留具22は、U字型の本体と2本の足22ｂを有している。クロス型装飾留具23はボタン型の本体23ａから四方に伸びる足23ｂを有している。フォーク型留具24は、同一の方向伸びる三本の足24ｂとこれらを連結する本体24ａとから構成される。
【００２１】
これら留具21乃至24の足21ｂ乃至24ｂは、各種フラットピース11乃至15の留具用孔11ｂ乃至15ｂに嵌め込まれて、隣接するフラットピース11乃至15同士を連結する。いずれの足21ｂ乃至24ｂも先端には返しが形成されていて、一度、留具孔11ｂ乃至15ｂに嵌入すると、容易に抜けない構造となっている。
【００２２】
また、裏打留具25は、Ｕ字型留具用22と共に使用されるものであって、楕円形の本体25ｂに、Ｕ字型留具留具22の足22ｂを嵌入する２つの孔25ｂが穿孔されている。Ｕ字型留具22は後述するバッグハンドル15との連結部等、より大きな力がかかる部分に使用されるものであって、裏打留具25と一緒に使用することで、より強固な連結を実現することができる。
【００２３】
本実施形態のデザインシート１の使用方法を、図３を用いて説明する。同図(ａ)及び同図(ｂ)は、デザインシート１の左上端から、フラットピース輪郭２に合わせて、異なった色のスクエア型フラットピース11Ａ乃至11Ｄ、及びホームベース型フラットピース12Ａ及び12Ｂを実際に載置した状態を示す。
【００２４】
実際のフラットピース11乃至15を、デザインシート１上に置いていくことで、完成したバッグ等の袋物の外装面の模様を確認していくことができる。また、デザインを変更したいときは、単にフラットピース11乃至15をデザインシート１上に置いているだけのことから、簡単に取り外し、変更ができるため、試行錯誤を容易に行うことができる。
【００２５】
所有するフラットピース11乃至15の数量が限定されている場合は、このように実際に使用するフラットピース11乃至15を載置していくことで、それぞれの色の不足数を確認することができ、所有する色のフラットピース11乃至15の数に合わせて模様の変更や、必要な色のフラットピース11乃至15の補充を容易に確認することができる。
【００２６】
さらに、デザインシート１には使用する留具21乃至25も図示されているため、使用する留具21乃至25も誤ることなく、容易に正しい種類を選択することができる。
【００２７】
本実施形態のデザインシート１を用いて作成したバッグ100を、図４に示す。同図のように、展開して組み上げたフラットピース11乃至15を表裏となるように折り畳んで、さらに留具21乃至25で連結することで、袋形状を形成することができる。その内側には図示しない布製の内袋をＵ字型留具22及び裏打留具25を用いて、内袋の上端開口部をホームベース型フラットピース12の上端内側に固定している。また、同様にＵ字型留具122及び裏打留具25を用いて、ハンドル15を取り付けている。
【００２８】
本考案の他の実施形態を、図５を用いて説明する。図５は、第１実施形態のデザインシート１で作成するバッグとは別の、ショルダーバッグの外装面を作成するためのデザインシート31である。同デザインシート31には、同様にフラットピース輪郭32及び留具輪郭33が描かれている。
【００２９】
また、同デザインシート31には、作成するショルダーバッグのカバーの留め具となるゴムひもの位置表示35、肩掛けバンドバンドフックの取り付け位置表示36や、さらにショルダーバッグに組み上げる際の折り曲げ位置表示37が情報として記載されている。
【００３０】
本考案の他の実施形態を、図６を用いて説明する。図６は、第１実施形態のデザインシート１で作成するバッグより小型のポーチ用のデザインシート41である。同デザインシート41には、同様にフラットピース輪郭42のみが描かれており、留具輪郭は描かれていない。
【００３１】
また、同デザインシート31は、フラットピース11乃至15を配置した後、スマホなどにより撮影するための、位置決め用マーク44ａ、44ｂが印刷されている。位置決め用マーク44ａ、44ｂは、配置したフラットピース11乃至15のデザイン情報を切り出すため、画面の対角線上に配置されており、画像処理プログラムは、この位置決め用マーク44ａ、44ｂを目印に外装面のデザインを認識する。
【００３２】
そして、スマホの通信機能を使って、特定サイトに情報を送り、画像処理プログラムはユーザが作った外装面のデザインを用いて、完成した仮想ポーチをスマホ画面上で表示する。かかる画像処理情報を提供することで、組み上げた作品の最終デザイン情報をユーザは認識することができる。なお、さらに、送信先情報や袋物のタイプを示す二次元コードを一緒に表示することで、写真を撮影しただけで一連の作業を自動で行わせることもできる。
【００３３】
さらに本考案の別の実施形態を、図６を用いて説明する。図６は、第１実施形態のデザインシート１と異なり、所定の厚みがあり、少なくとも表面に弾性を有するデザインシート51を用いる実施形態を示す。
【００３４】
図６(ａ)に示すように、デザインシート51は、表面に弾力性を有する段ボールシートや厚手のビニルシートで作成されており、図示しないが、表面にはフラットピース輪郭や留具用輪郭が印刷されている。そして、第１実施形態と同様に、ユーザは、これらフラットピース輪郭に従ってフラットピース11を載置する。
【００３５】
この状態で、クロス型留具21の足21ｂを、フラットピース11の留具用孔11ｂに挿入すると、図６(ｂ)に示すように、その先端はフラットピース11を突き抜けてデザインシート51の表面に達する。この際、デザインシート51の表面は凹んで、その突出を緩衝し、足21の返しをフラットシート11の裏面に引っ掛けて固定される。
【００３６】
すなわち、かかる実施形態によれば、ユーザがデザインシート51上にフラットピース11を置いたまま、クロス型留具21を上から単純に嵌め込むことができるため、よりフラットピース11の連結を容易に行うことができる。
【００３７】
なお、通常の薄い紙のデザインシート11と、そのサイズと同じ、所定厚みを有するスポンジシートや厚紙を別体で提供することでも、同様の作用効果を提供することができる。
【００３８】
以上、本考案のデザインシート１、31、41について説明したが、具体的な構成はこれらに限られるものではなく、材質や形状については、多様なバリエーションを選択することができる。
【符号の説明】
【００３９】
１、31、41、51    （袋物外装用の）デザインシート
２    フラットピース輪郭
３    留具輪郭
11乃至15    フラットピース
21乃至25    留具
44ａ、44ｂ   位置決め用マーク
100  バッグ（袋物）
【図１】
0003218494.tif 000003
【図２】
0003218494.tif 000004
【図３】
0003218494.tif 000005
【図４】
0003218494.tif 000006
【図５】
0003218494.tif 000007
【図６】
0003218494.tif 000008
【図７】
0003218494.tif 000009